(57)【要約】【課題】使用者の体の力を利用することで、片手で容易に瓶の蓋を開閉可能する瓶蓋開閉補助具を実現する。【解決手段】瓶蓋開閉補助具１は、ローラ２、ベース台４およびフック部７を備え、ベース台４とローラ２は連結部材３０にて連結されており、ベース台４の下方にホルダ部５を備え、フック部７によって、ベースキャビネット１４の前面扉１５に取り付け、ローラ２をローラ２の軸２９が水平となるようにベース台４上に載置した状態でキッチンの天板３６とベースキャビネット１４の前面扉１５間で瓶３を挟持可能であり、不使用時にはローラ２をホルダ部５に収納可能である。【選択図】図４
2019127289.tif 000002
【特許請求の範囲】
【請求項１】
キッチンに設けられる瓶蓋開閉補助具であって、瓶蓋開閉補助具はローラと、ローラ及び瓶を載置するべ−ス台を備え、ローラの軸が水平となるようにローラがべ−ス台上に載置された状態で、ベースキャビネットの前面扉をキッチンの天板側に移動させることによって、ローラは天板と接触し、ローラと前面扉間で瓶を挟持するように構成されることを特徴とする瓶蓋開閉補助具。
【請求項２】
請求項１に記載の瓶蓋開閉補助具であって、フック部を備え、べ−スキャビネットの前面扉に取付可能に構成されていることを特徴とする瓶蓋開閉補助具。
【請求項３】
請求項１または２に記載の瓶蓋開閉補助具であって、べ−ス台とローラは連結部材にて連結されており、べ−ス台の下方にホルダ部を備え、不使用時にはローラをホルダ部に収納可能に構成されていることを特徴とする瓶蓋開閉補助具。
【請求項４】
請求項１から３のいずれかに記載の瓶蓋開閉補助具であって、ローラの表面が軟質材で形成されていることを特徴とする瓶蓋開閉補助具。
【発明の詳細な説明】
【技術分野】
【０００１】
本発明は、瓶蓋開閉補助具に関し、特にキッチンに設けられる瓶蓋開閉補助具に関するものである。
【背景技術】
【０００２】
腕の怪我や麻痺を患った人の場合、瓶を手で持ち、もう一方の手で蓋を回して瓶の蓋を開閉する作業は、困難である。その対応として、キッチンの引き出しを利用し、引き出しとキッチン本体に瓶を挟んで開閉するようなことも行われている。
【０００３】
また、従来、キッチンに設ける瓶蓋開閉補助具が知られている（特許文献１、２参照）。即ち、特許文献１には、キッチンの扉に固定した固定アームと、固定アームに対して回転可能な揺動アームをから成り、固定アームまたは揺動アームのいずれかの挟持面に鋸歯状等の挟持突体を設け、瓶蓋を固定アームと揺動アームの間に挟持して瓶本体を回動することで、瓶蓋を開放することのできる瓶蓋の開放具が記載されている。
【０００４】
また、特許文献２には、キッチンキャビネット等の引き出しの前板にスライド自在に取り付けられており、約６０度の挟角を成す凹窩部における対向する立壁の一方に、鋸歯状の挟持突体が設けられて成り、凹窩部に瓶蓋を挟持させて瓶本体を回動することで、瓶蓋を開放することのできる瓶蓋開放具が記載されている。
【先行技術文献】
【特許文献】
【０００５】
【特許文献１】実用新案登録第３００８４０３号公報
【特許文献２】実用新案登録第３００８４０４号公報
【発明の概要】
【発明が解決しようとする課題】
【０００６】
上記の引き出しとキッチン本体に瓶を挟んで開閉する手段は、瓶蓋および瓶本体の形状がキッチンの引き出しおよび本体の構造に適合しないような場合があり、瓶蓋および瓶本体の形状によっては、必ずしも有効とは言えない。
【０００７】
また、特許文献１に記載の瓶蓋開閉補助具は、揺動アームを固定アーム側に押しつけるための手と瓶本体を回転するための手とが必要であり、片手で蓋の開閉を行うためには必ずしも適切ではないものと考えられる。
【０００８】
さらに、特許文献２に記載の瓶蓋の開放具は、片手で凹窩部内に挟持させる作業と瓶本体を回転する作業を行うために、両作業に十分な力がかからないという、可能性もある。
【０００９】
本発明は、上記従来の問題を解決することを目的とし、使用者の体の力を利用することで、片手で容易に瓶の蓋を開閉することが可能となる瓶蓋開閉補助具を実現することを課題とする。
【課題を解決するための手段】
【００１０】
本発明は上記課題を解決するために、キッチンに設けられる瓶蓋開閉補助具であって、瓶蓋開閉補助具はローラと、ローラ及び瓶を載置するべ−ス台を備え、ローラの軸が水平となるようにローラがべ−ス台上に載置された状態で、ベースキャビネットの前面扉をキッチンの天板側に移動させることによって、ローラは天板と接触し、ローラと前面扉間で瓶を挟持するように構成されることを特徴とする瓶蓋開閉補助具を提供する。
【００１１】
瓶蓋開閉補助具は、フック部を備え、べ−スキャビネットの前面扉に取付可能に構成されていることが好ましい。
【００１２】
べ−ス台とローラは連結部材にて連結されており、べ−ス台の下方にホルダ部を備え、不使用時にはローラをホルダ部に収納可能に構成されていることを特徴とする瓶蓋開閉補助具。
【００１３】
ローラの表面が軟質材で形成されていることが好ましい。
【発明の効果】
【００１４】
本発明に係る瓶蓋開閉補助具は、ローラとべ−ス台を備え、ローラ及び瓶をベース台上に載置し、前面扉を使用者の体でキッチンの天板側に押し付けることによって、天板とベースキャビネットの前面扉間で瓶を挟持できるので、片手で容易に瓶の蓋を開閉することが可能となる。
【図面の簡単な説明】
【００１５】
【図１】本発明に係る瓶蓋開閉補助具の実施例を説明する図であり、（ａ）は全体構成の斜視図であり、（ｂ）はフック部の基本的な構成の側面図であり、（ｃ）は本実施例のフック部の側面図である。
【図２】上記実施例において、瓶蓋開閉補助具をキッチンのベースキャビネットの前面扉に取り付けた状態を示す側面図であり、（ａ）は前面扉を開いた状態を示し、（ｂ）は前面扉を閉じた状態を示す。
【図３】上記実施例において、ベースキャビネットの前面扉を開いて、瓶蓋開閉補助具のローラをベース台に載置した状態を示し、（ａ）は側面図であり、（ｂ）は斜視図である。
【図４】上記実施例において、瓶蓋開閉補助具によって瓶の蓋を開く状態を説明する図であり、（ａ）は側面図であり、（ｂ）は斜視図である。
【図５】上記実施例において、前垂れ部を有する天板に対して、瓶蓋開閉補助具のローラを天板に押し付けた状態を示す側面図であり、（ａ）と（ｂ）は、互いに前垂れ部に対するローラの当接箇所が異なる例を示す。
【図６】上記実施例において、補助フックの使用状態を説明する斜視図である、（ａ）は前面扉が開いた状態を示し、（ｂ）は前面扉が閉じている場合を示す。
【図７】上記実施例において、（ａ）は瓶をローラと当接板の間に挟持した状態を示す平面図であり、（ｂ）はローラの変形例を示す斜視図であり、（ｃ）は瓶を変形例のローラと当接板の間に挟持した状態を示す平面図である。
【発明を実施するための形態】
【００１６】
本発明に係る瓶蓋開閉補助具を実施するための形態を実施例に基づき図面を参照して、以下説明する。
【実施例】
【００１７】
本発明に係る瓶蓋開閉補助具の実施例を図１〜６を参照して説明する。本発明に係る瓶蓋開閉補助具は、天板の下に設けられたキッチンのベースキャビネットの前面扉に取り付けられて、瓶蓋を片手で開閉できるようにするための器具である。
【００１８】
実施例の瓶蓋開閉補助具１は、その主な構成要素として、図１（ａ）に示すように、ローラ２と、ローラ２および瓶３（図４参照）を載置するベース台４と、ベース台４の下方に設けられたホルダ部５と、垂直支持板６と、左右のフック部７と、当接板８と、を備えている。
【００１９】
図１（ａ）は、瓶蓋開閉補助具１の全体構成を示し、使用に際しては、図２〜図６に示すように、そのフック部７によってベースキャビネット１４の前面扉１５に引っ掛けて装着する。本明細書では、キッチンのベースキャビネット１４を正面から見て手前側を前方とし、奥側を後方とし、左右側を左右方向として説明する。
【００２０】
ベース台４は、図１（ａ）に示すように、垂直支持板６の上端から後方に向けて略水平な台板として形成されており、その左右の側縁には、下方に向けて延びる左右のフランジ部１６が形成されている。
【００２１】
ホルダ部５は、垂直支持板６の下端から後方に向けて略水平な保持板１９と、保持板１９の後端から上方に起立した起立片２０と、を備えている。ホルダ部５は、ローラ２をベース台４と起立片２０の間を通して、保持板１９の上に載置して収納可能な構成とする。そのためには、ベース台４と起立片２０の上端の間隔は、少なくともローラ２の直径より大きい寸法に形成する。
【００２２】
左右のフック部７は、それぞれ垂直支持板６の前面の左右に設けられている。左右のフック部７は、図１（ｂ）に基本的な構成を示すが、垂直支持板６の前面に上方垂直に起立するように設けられたフック主柱２３を有し、フック主柱２３の上端が前方水平に折り曲げられ、さらに垂直下方に折り曲げられて成る主フック２４が形成されている。
【００２３】
本実施例では、左右のフック部７は、図１（ｂ）の基本的なフック部７の構成を前提として、主フック２４における垂直下方に折り曲げられた部分を、さらに、図１（ａ）、（ｃ）に示すように、前方水平に折り曲げ、さらに垂直上方に折り返して成る補助フック２５を設けた構成とした。
【００２４】
この主フック２４によって、瓶蓋開閉補助具１は、図２（ａ）に示すように、前面扉１５の上端部に引っ掛けて、前面扉１５の後面側に装着することが可能となる。さらに、補助フック２５には、後記するが図６に示すように、前面扉１５の前側に袋等を引っ掛けることができる。
【００２５】
当接板８は、左右のフック部７のフック主柱２３の後面に図１（ａ）〜（ｃ）に示すように設けられており、その後面には、ゴム材等の軟質材で形成された当接層９を有する。当接板８は、後記するが、瓶蓋を開くためにベース台４に載置された瓶３に前方から当接して、ローラ２の間で瓶３を挟持する機能を有し、その当接層９によって、瓶３を挟持した際に、瓶３の回転に対する滑り止め効果を奏する。
【００２６】
ローラ２は、左右に設けられた長細い板状の連結部材３０の間に配置され、軸心に設けられたローラの軸２９を介して、左右の連結部材３０の長手方向の一端部に回転可能に取り付けられている。
【００２７】
左右の連結部材３０には、それぞれその長手方向に長孔３１が形成されており、この長孔３１を通して、連結部材３０をベース台４のフランジ部１６に対して移動可能に取り付ける取り付け軸３４が挿通されている。
【００２８】
左右の取り付け軸３４は、それぞれベース台４の左右のフランジ部１６に固定されており、連結部材３０に対してその長孔３１内で相対的に移動可能である。このような構成によって、ローラ２は、そのローラの軸２９が水平となるようにベース台４上に載置可能であり（図３参照）、また、ベース台４上からホルダ部５に移動して収納可能であり（図２参照）、逆にホルダ部５からベース台４上に移動して載置可能である。
【００２９】
ところで、瓶蓋開閉補助具１は、前面扉１５に取り付けた状態における高さ位置が次のような位置関係になるように構成する。即ち、図４（ａ）に示すように、ローラ２と蓋３５を開けるべき瓶３をベース台４に載置した状態で、ベースキャビネット１４の前面扉１５をキッチンの天板３６側に押付けると、ローラ２が天板３６に当接し、しかもローラ２の後面の上部（天板３６に対向するローラ２の後面のうちローラ２の中心の高さより上方の部分）が天板３６に当接するように構成する。
【００３０】
このような構成は、ローラ２の直径を適宜設計することによっても実現できるが、より現実的には、ローラ２を載置するベース台４の高さを、前面扉１５に掛けるフック部７の取り付け高さを適宜設計して、適切な高さにすることによって実現可能である。
【００３１】
後者の場合は、具体的には、フック主柱２３に対する垂直支持板６の固定高さを適宜設計することにより、ローラ２の後面の上部が天板３６に当接するように、ベース台４の高さを設定すればよい。  
【００３２】
（作用）
以上の構成から成る実施例の瓶蓋開閉補助具１の作用を、その使用等を通して説明する。瓶蓋開閉補助具１をキッチンのベースキャビネット１４に取り付ける場合は、図２（ａ）に示すように、前面扉１５を開いて、瓶蓋開閉補助具１のフック部７を、前面扉１５の後面側から上端部に引っ掛ける。
【００３３】
これによって、垂直支持板６は、前面扉１５の後面側に当接した状態となり、瓶蓋開閉補助具１を、前面扉１５の後面側のスペースに取り付けることができる。なお、図２（ａ）では、ローラ２は、ホルダ部５に保持されている状態を示す。
【００３４】
この状態において、前面扉１５を、図２（ｂ）に示すように、ベースキャビネット１４内に押し込んで閉じると、瓶蓋開閉補助具１は、天板３６の下において、ベースキャビネット１４内に収納される。
【００３５】
図２（ｂ）に示すようにベースキャビネット１４内に収納されている瓶蓋開閉補助具１を使用し、瓶３の蓋３５を開ける場合には、図２（ａ）に示すように前面扉１５を開けて、瓶蓋開閉補助具１をベースキャビネット１４の前方の位置に移動する。
【００３６】
そして、連結部材３０を取り付け軸３４に対して相対的に移動し、ローラ２を、図３（ａ）、（ｂ）に示すように、そのローラ２の軸２９が水平となるようにベース台４上に移動（図３（ａ）の白抜き矢印参照）して載置する。
【００３７】
このようにローラ２のベース台４への移動に際し、連結部材３０を移動すると、取り付け軸３４は、連結部材３０の長孔３１内で長孔３１に沿って相対的にスライドする。    
【００３８】
蓋３５を開けるべき瓶３を、図４（ａ）、（ｂ）に示すように、ローラ２と当接板８の間に載置する。そして、使用者がその体で前面扉１５を天板３６側に押し付けると、天板３６とベースキャビネット１４の前面扉１５の間で、瓶３は前後から押し付けられて強く挟持される。
【００３９】
より詳細には、天板３６側ではローラ２を介して、前面扉１５側では当接層９を有する当接板８を介して、天板３６と前面扉１５の間で、瓶３は前後から押し付けられて強く挟持される。このように瓶３を挟持した状態で、使用者は、蓋３５を瓶３に対して片手で回転することにより容易に開くことができる。
【００４０】
ところで、使用者が前面扉１５を天板３６側に押し付けると、ベース台４上のローラ２の後面側の上部（天板３６に対向するローラ２の後面において、ローラ２の軸心の高さより上方の部分）が天板３６の前端に押し付けられるので、図４（ａ）に示すように、ローラ２には白抜き矢印Ｘに示すように右回りの回転力が生じる。
【００４１】
そのために、ローラ２は、瓶３に対して前方（白抜き矢印Ｙ参照）、かつ下向き（白抜き矢印Ｚ参照）に押し付ける力を発生する。その結果、使用者が片手で蓋３５を開く際に、瓶３に対して蓋３５を回転したり、蓋３５がキャップ式の場合においては蓋３５に上方への力を加えても、瓶３が共廻りしたり、上方へ抜け出るようなことを防ぐことができるので、容易に蓋３５を開くことができる。
【００４２】
なお、図５（ａ）に示すように、天板３６の前端に垂直下方に延びる前垂れ部３７を備えた天板３６の場合であっても、図４（ａ）に示す天板３６の場合と同様に、ローラ２は、前垂れ部３７に当接して、白抜き矢印Ｘに示すように右回りの回転力が生じ、瓶３に対して、前方（白抜き矢印Ｙ参照）、かつ下向き（白抜き矢印Ｚ参照）に押し付ける力を発生する。これによって、天板３６と前面扉１５の間にローラ２と当接板８を介して瓶３を確実に挟持することができる。            
【００４３】
仮に、前垂れ部３７に対してローラ２の後面上部が当接せず、図５（ｂ）に示すように、ローラ２の後面中部が当接する場合又はそのような構造の場合でも、ローラ２は図４（ａ）に示すような回転力は生じないものの、ローラ２は、天板３６の前垂れ部３７の垂直部の前面に、より広い当接面積で当接し、そのため瓶３に対してもより強い力で圧接する。
【００４４】
その結果、天板３６と前面扉１５の間にローラ２と当接板８を介して瓶３を確実に挟持することができる。従って、このような前垂れ部３７を備えた天板３６であっても、本発明に係る瓶蓋開閉補助具１は、適用可能である。
【００４５】
ローラ２および当接層９を軟質材で形成すれば、天板３６と前面扉１５の間に、ローラ２および当接層９付き当接板８を介して瓶３を挟持すると、使用者が蓋３５を回転して開く際に、蓋３５の回転に伴い瓶３が回転しようとしても、瓶３はローラ２と当接板８の間で回転方向に滑るようなことが生じにくくなる。
【００４６】
瓶蓋開閉補助具１を使用後、連結部材３０を取り付け軸３４に対して相対的に移動し、ローラ２を、図３（ａ）、（ｂ）の状態から図２（ａ）に示すように、ローラ２をホルダ部５の保持板１９上に移動すれば、ホルダ部５内に収納できる。さらに、前面扉１５を閉じれば、図２（ｂ）に示すようにベースキャビネット１４内に収納することが可能となる。
【００４７】
また、瓶蓋開閉補助具１を前面扉１５に取り付けた状態で、図６（ａ）、（ｂ）に示すように、前面扉１５を開いた状態でも、又は閉じた状態でも、フック部７に設けられた補助フック２５に、袋４１等の把持紐４２等を引っ掛けて、袋、その他の物品を掛けておくことも可能である。
【００４８】
（ローラ２の変形例）
図７（ａ）は、上記実施例において、瓶３を、天板３６と前面扉１５の間において、ローラ２と当接板８の間に挟持した状態を示すが、瓶３とローラ２の当接面積をより広くして、挟持力を高めるためのローラ２の変形例を、図７（ｂ）、（ｃ）を参照して説明する。
【００４９】
このローラ２の変形例では、ローラ２において、その表面の一部に、図７（ｂ）、（ｃ）に示すように、ローラ２の表面から窪んだ湾曲面４５を形成した。このようなローラ２の変形例によれば、瓶３をローラ２の湾曲面４５と当接板８の間に挟持すると、瓶３は、図７（ｃ）に示すように、ローラ２の湾曲面４５に沿って当接する。
【００５０】
そのために、図７（ａ）に示す場合よりも、瓶３の当接面積は、より広くなるので挟持力は強くなり、また、瓶３の回転に対する摩擦抵抗は大きくなるので、蓋３５を回転しても瓶３は回転しにくくなり、蓋３５を開きやすくなる。
【００５１】
以上、本発明に係る瓶蓋開閉補助具を実施するための形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００５２】
本発明に係る瓶蓋開閉補助具は上記のような構成であるから、キッチンのべ−スキャビネットにかぎらず、引出し前面扉を備えた各種のキャビネットの前面扉に取り付けて使用可能である。
【符号の説明】
【００５３】
１  瓶蓋開閉補助具
２  ローラ
３  瓶
４  ベース台
５  ホルダ部
６  垂直支持板
７  フック部
８  当接板
９  当接層
１４  ベースキャビネット
１５  前面扉
１６  フランジ部
１９  保持板
２０  起立片
２３  フック主柱
２４  主フック
２５  補助フック
２６  主フックの水平頂部
２９  ローラの軸
３０  連結部材
３１  連結部材の長孔
３４  取り付け軸
３５  蓋
３６  天板
３７  天板の前垂れ部
４１  袋
４２  袋の把持紐
４５  ローラの湾曲面
【図１】
2019127289.tif 000003
【図２】
2019127289.tif 000004
【図３】
2019127289.tif 000005
【図４】
2019127289.tif 000006
【図５】
2019127289.tif 000007
【図６】
2019127289.tif 000008
【図７】
2019127289.tif 000009